(57)【要約】  毛髪繊維（３）の反対側の第２の端部（４）が自由に垂れ下がるように、毛髪繊維（３）の第１の端部（５）をホルダ（１）と解放可能に係合させ、第２の端部（４）の毛髪繊維（３）がホルダ（１）を横切って引っ張られるように、毛髪繊維（３）の第１の端部（５）に、十分な力を加えることにより、毛髪の状態を評価する方法であって、力は、上向きであり、空気の密度よりも小さい密度を有する封入ガス（７）の作用によって加えられる、方法。【特許請求の範囲】
【請求項１】
毛髪繊維（３）の反対側の第２の端部（４）が自由に垂れ下がるように、前記毛髪繊維（３）の第１の端部（５）をホルダ（１）と解放可能に係合させ、前記第２の端部（４）の前記毛髪繊維が前記ホルダ（１）を横切って引っ張られるように、前記毛髪繊維（３）の前記第１の端部（５）に、十分な力を加えることにより、毛髪の状態を評価する方法であって、前記力は、上向きであり、空気の密度よりも小さい密度を有する封入ガス（７）の作用によって加えられる、方法。
【請求項２】
前記毛髪（３）は乾燥している、請求項１に記載の方法。
【請求項３】
前記毛髪（３）は、前記ホルダに係合する前にコンディショニング組成物で処理される、請求項１〜３のいずれか１項に記載の方法。
【請求項４】
前記組成物は、洗い流しコンディショニング組成物である、請求項３に記載の方法。
【請求項５】
請求項３に記載の方法を実行し、次いで前記第１の端部（５）を前記ホルダ（１）から引き出すのに必要な前記力（７）を測定することにより、コンディショニング組成物の前記コンディショニング効果を測定または実証する方法。
【請求項６】
前記処理済み毛髪サンプル（３）に対して請求項３に記載の方法を実行することにより、少なくとも２つのコンディショニング組成物の前記コンディショニング効果を比較または実証するための方法。
【請求項７】
前記処理済み毛髪サンプル（３）に対して請求項３に記載の方法が同時に行われる、請求項６に記載の方法。
【請求項８】
請求項１〜７に記載の力（７）および毛髪（３）に関する１または複数の画像を取り込み、前記画像を記憶および／または送信するステップをさらに含む、先行するいずれかの請求項に記載の方法。
【請求項９】
前記画像は１以上の可視表示部に表示される、請求項８に記載の方法。
【請求項１０】
前記表示部はスクリーンである、請求項９に記載の方法。
【発明の詳細な説明】
【技術分野】
【０００１】
本発明は、毛髪繊維の状態、上記繊維上のコンディショニング組成物の有効性を評価する方法、並びにコンディショニング組成物の有効性を評価および比較する方法に関する。
【背景技術】
【０００２】
国際公開第２０１２／１７３９６３号は、試験サンプルを製造するための機械化された方策およびサンプル基板を選択するための方策を使用することを開示している。
【０００３】
特開昭５６−９４２６０号公報（シャープ株式会社）は、毛髪の状態を評価するための方法を開示しており、この方法では破断点が測定される。
【０００４】
特開昭５６−２７６５２号公報（シャープ株式会社）は、同様の方法を開示しており、この方法では毛髪が毛細管に固定されている。
【０００５】
国際公開第２０１４／１１７９０７号は、毛髪繊維の反対側の第２の端部が自由に垂れ下がるように、毛髪繊維の第１の端部をホルダと解放可能に係合させ、第１の端部の毛髪繊維がホルダに引っ張られるように、毛髪繊維の第２の端部に十分な力を加えることにより、髪の状態を評価する方法を開示している。コンディショナー組成物で処理された湿った房毛の自由端には、異なるトリートメントの効果間の差を決定することを可能にするために、重りが吊り下げられている。
【０００６】
上記先行技術をよそに、毛髪繊維の状態を実証するための改善された方法に対する必要性が依然としてある。
【０００７】
本発明者らは、乾いた毛髪には、湿った毛髪に比べて必要な力が少ないことを見出した。上向きの力を用いることは、毛髪が実質的に「直立」構成のままであるので、ユーザによるヘアブラシまたは梳毛手段を毛髪に通す作用をより厳密に再現する。
【０００８】
本発明者らは、重力に反して、空気の密度よりも小さい密度を有するガス（いわゆる「リフティング」または「リフト」ガス）の上昇の原理に基づいて力を加える方法によってこれを達成できることを見出した。特に乾いた毛髪に効果的である。
【先行技術文献】
【特許文献】
【０００９】
【特許文献１】国際公開第２０１２／１７３９６３号
【特許文献２】特開昭５６−９４２６０号公報
【特許文献３】特開昭５６−２７６５２号公報
【特許文献４】国際公開第２０１４／１１７９０７号
【発明の概要】
【課題を解決するための手段】
【００１０】
よって、第一の態様では、毛髪繊維の反対側の第２の端部が自由に垂れ下がるように、毛髪繊維の第１の端部をホルダと解放可能に係合させ、第２の端部の毛髪繊維がホルダを横切って引っ張られるように、毛髪繊維の第１の端部に、十分な力を加えることにより、毛髪の状態を評価する方法であって、力は、上向きであり、空気の密度よりも小さい密度を有する封入ガスの作用によって加えられる、方法が提供される。
【００１１】
好ましくは、ホルダは剛毛または尖叉を含む。より好ましくは、ホルダはヘアブラシおよび櫛から選択され、最も好ましくはヘアブラシである。ホルダが剛毛または尖叉を含む場合、第１の端部に力が加えられるにつれて毛髪繊維が剛毛または尖叉を通して引っ張られることが好ましい。より好ましくは、ホルダは、加えられた力の方向から離れる方向に延びる剛毛または尖叉を含む。好ましくは、剛毛または尖叉は、繊維に垂直な方向に延びる。
【００１２】
好ましくは、力は、ホルダから離れる方向に加えられる。
【００１３】
好ましくは、本方法は、ヘアピースに加えられた力を記録することを含む。好ましくは、本方法は、１つのヘアピースに加えられる力を、同一または同等の結果を達成するのに必要とされる別のヘアピースに加えられる力と比較することをさらに含む。毛髪繊維がホルダを横切って引っ張られる際に生じる摩擦は記録され得る。
【００１４】
好ましくは、力は、毛髪をホルダから完全に引き抜くのに十分である。好ましくは、力は、力を最初に加えてから５秒〜２分、好ましくは１０秒〜１分の期間内にすべての繊維をホルダから引き抜くのに必要とされる最小の力である。
【００１５】
好ましくは、封入ガスは、１または複数の風船内に封入されている。適切なガスは、空気の密度よりも低い密度を有するもの（いわゆる「リフティング」または「リフト」ガス）、例えば水蒸気、熱風、メタン、ヘリウムおよび水素である。好ましくは、ガスは、ヘリウムおよび水素から選択され、そして最も好ましくはヘリウムである。
【００１６】
本方法は、毛髪の状態、より好ましくは毛髪繊維のもつれ状態および／または毛髪の表面の摩擦レベルを評価するための容易に実証可能なアプローチを提供する。
【００１７】
好ましくは、毛髪繊維の第１の端部にクリップが取り付けられ、そして例えば風船をさらに膨張させることによって、またはより多くの風船を追加することによって、クリップに徐々に大量のガスが追加される。
【００１８】
好ましくは、毛髪繊維はヘアピースの形態であり、そして好ましくは１〜５ｇのヘアピース、より好ましくは１．５〜３ｇのヘアピースである。好ましくは、ヘアピースは、例えば接着または結束によって第１の端部で束ねられる。
【００１９】
好ましくは、ヘアピースは、長さが１０〜５０ｃｍ、より好ましくは１５〜３０ｃｍ、最も好ましくは２０〜２８ｃｍの長さである。
【００２０】
毛髪が著しく絡み合っていると、毛髪繊維をホルダから引き抜くのに必要な力は、毛髪が著しく絡み合っていない場合よりも大きい。さらに、もつれの程度が異なる２つ以上のヘアピース間で比較した場合、一方の毛髪がより容易に、または他方よりも少ない力で引っ張られるだろう。したがって、このことは、あるコンディショニング処理の有効性を別のものよりも意図的に実証することになる。同様に、表面粗さの程度が異なる２つ以上のヘアピースの場合、一方がより容易に、または他方よりも少ない力で毛髪を通り抜けるだろう。これは繊維間の摩擦が増大していることによる。
【００２１】
好ましくは、毛髪は乾燥している。毛髪は、加熱乾燥または風乾させてもよく、好ましくは風乾、最も好ましくはドライヤーで乾燥させるかまたは自然乾燥させてもよい。
【００２２】
好ましくは、毛髪は、コンディショニング組成物で処理され、そして好ましくは毛髪がホルダに取り付けられる前に乾燥される。これにより、オペレータは、毛髪繊維をホルダから引っ張るのに必要な力を測定することによってコンディショニング組成物の有効性を評価することができる。
【００２３】
好ましくは、適用されるコンディショニング組成物は洗い流しコンディショニング組成物である。
【００２４】
さらに、濡れた毛髪の状態を評価するために本発明を使用することに障害がないことが当業者に明らかであることは明白である。当業者は、濡れた毛髪をホルダから引き出すのに必要な力を測定することができるだろう。力はまた、上向きであるものとする。一般に、乾いた毛髪を評価するよりも強い力および／またはより長い引っ張り時間が必要とされ得る。しかし、それもまた本発明の範囲内である。
【００２５】
第２の態様では、コンディショニング組成物を毛髪に塗布し、場合によりすすぎ、次いで毛髪を乾燥させ、次いで毛髪をホルダと解放可能に係合させ、次いでホルダから毛髪を引っ張るのに必要な力を測定することにより、コンディショニング組成物のコンディショニング効果を測定する方法が提供される。コンディショニング組成物は、洗い流しコンディショナーまたはリーブインコンディショナーから選択されてもよい。
【００２６】
好ましくは、ホルダから毛髪を引っ張るのにかかる時間は、簡単な記録を作成するために十分に短いが、ホルダから毛髪が直ちに引っ張られるほど短くない。
【００２７】
第３の態様では、処理済み毛髪サンプルに対して第２の態様に記載の方法を実行することにより、少なくとも２つのコンディショニング組成物のコンディショニング効果を比較するための方法が提供される。
【００２８】
好ましくは、少なくとも２つのコンディショニング組成物のコンディショニング効果を比較する方法は、処理済み毛髪サンプルに対して同時に行われる。
【００２９】
これにより、オペレータは、関連する力またはホルダを通して毛髪を引っ張るのにかかる時間を測定する必要なしに、ある組成物の他の組成物に対する優位性を直ちに決定することができる。
【００３０】
好ましくは、毛髪繊維に取り付けた第１の封入ガスは、毛髪繊維をホルダから引き出すのに不十分な力を提供し、そして２組の毛髪繊維の間の区別を可能にする様式で追加のガスが順次加えられる。言い換えれば、１組の毛髪繊維の一方がホルダから引き抜かれ、他方の毛髪繊維がホルダに取り付けられたままになるまで、同一の力が各組の毛髪繊維に同時に加えられる。
【００３１】
このことは、前者の組の毛髪繊維を処理する組成物のコンディショニング効果が後者の毛髪繊維に適用されたものより優れていることを示すであろう。
【００３２】
上述した方法は、上向きの力（例えば、風船）および毛髪に関する１または複数の画像を取り込むステップも含み得る。画像は、１または複数の可視表示部上に表示するために記憶および／または送信され得る。表示部は、好ましくは、スクリーンである。
【図面の簡単な説明】
【００３３】
【図１】延在する剛毛（２）を有するブラシ（１）を示す。下（第２の）端部（４）が緩くぶら下がるように、ヘアピース（３）がブラシ（１）上に配置されている。各ヘアピースの第１の（頂）端部（５）には、封入されたガス風船（７）が結び付けられたクリップ（６）がある。
【図２】それぞれ図１で説明した一対のヘアピースを示している。ヘアピース３Ａは、ヘアピース３Ｂよりもブラシから容易に引き抜かれる。
【発明を実施するための形態】
【００３４】
［実施例１］
ヘアピースを、Ｔｒｅｓｅｍｍｅ  Ｅｘｐｅｒｔ  Ｓｅｌｅｃｔｉｏｎ  Ｂｅａｕｔｙ−Ｆｕｌｌ  Ｖｏｌｕｍｅ  Ｐｒｅ  ｗａｓｈコンディショナーおよびシャンプーで処理し、すすぎ、そしてヘアドライヤーで乾燥させた。
【００３５】
ブラシをクランプで定位置に保持し、上（第１）端がブラシの上端にあり、第２（下）端が自由にぶら下がるようになるように、ブラシを横切ってヘアピースを配置した。クリップを毛髪繊維の上端に取り付け、封入されたガス風船をクリップに取り付けた。ヘアピースがブラシを通して上方に引っ張られるまで、クリップにさらに風船が追加された。ヘアピースはブラシを通して適切に引っ張られ、風船で上向きに浮かんだ。
【００３６】
［実施例２］
実施例１の実験を繰り返した。ただし、２種のヘアピースを異なるコンディショニング組成物で処理した。
【００３７】
コンディショニング処理は、すべて市販されているＴｒｅｓｅｍｍｅ  Ｅｘｐｅｒｔ  Ｓｅｌｅｃｔｉｏｎ  Ｂｅａｕｔｙ−Ｆｕｌｌ  Ｖｏｌｕｍｅ  ｐｒｅ−ｗａｓｈコンディショナーおよびシャンプーおよびＰａｎｔｅｎｅ  Ｐｒｏ−Ｖ  ＶｏｌｕｍｅおよびＢｏｄｙシャンプーおよびコンディショナーであった。
【００３８】
上述したように、２つのヘアピースを処理し、１０秒間すすぎ、そして乾燥させた。
【００３９】
ヘアピースがブラシを通して上方に引っ張られるように十分なガスが加えられるまで、等量の封入ガス（標準ゴム風船中のヘリウムガス）を各ヘアピースのクリップに同時に取り付けた。
【００４０】
ブラシから最も簡単に引っ張られたヘアピースは、最善の状態であると考えられた。
【００４１】
４つのバルーンを取り付けると、Ｔｒｅｓｅｍｍｅ製品で処理したヘアピースはブラシを完全に通過したことが分かった。Ｐａｎｔｅｎｅ製品で処理された対応するヘアピースは、同じ数の風船で、ブラシを通してその長さの約半分だけ動いた。
【図１】
2020501123.tif 000002
【図２】
2020501123.tif 000003
【国際調査報告】
2020501123.tif 000004
2020501123.tif 000005
2020501123.tif 000006